【手続補正書】
【提出日】平成16年12月17日(2004.12.17)
【手続補正１】
【補正対象書類名】明細書
【補正対象項目名】特許請求の範囲
【補正方法】変更
【補正の内容】
【特許請求の範囲】
【請求項１】
被写体の像を電気的な画像信号に変換して周期的に出力する画像出力手段と、
前記画像信号を表示する表示手段と、
内部発生または外部発生のシャッターキー操作信号に応答して前記画像信号又は前記画像信号を圧縮処理した信号を記録媒体に記録する記録制御手段と、
前記画像信号から文字情報を抽出してテキスト文字列に変換する変換手段と、
該テキスト文字列から所定の項目を認識する認識手段と、
該テキスト文字列を前記認識手段により認識された当該文字情報の項目毎に分類して格納する格納手段と、
を備え、
前記表示手段に表示中の画像信号に重畳させて名刺に代表される特定の印刷物の縦横比率に対応した大きさの枠イメージを表示することを特徴とする電子カメラ。
【請求項２】
請求項１記載の電子カメラにおいて、
内部発生または外部発生のシャッターキー操作信号に応答して、前記枠イメージを消去する消去手段を備えたことを特徴とする電子カメラ。
【請求項３】
請求項１記載の電子カメラにおいて、
前記格納手段に格納された情報を外部に出力する外部出力手段を備えたことを特徴とする電子カメラ。
【請求項４】
請求項３記載の電子カメラにおいて、
前記外部出力手段は、有線、無線、光又は可搬型の記憶デバイスを媒体にして情報出力を行うことを特徴とする電子カメラ。
【請求項５】
請求項１記載の電子カメラにおいて、
前記格納手段は、認識された当該文字列の情報と項目とを対応付けて格納することを特徴とする電子カメラ。
【請求項６】
被写体の像を電気的な画像信号に変換して周期的に出力する画像出力手段と、
前記画像信号を表示する表示手段と、
内部発生または外部発生のシャッターキー操作信号に応答して前記画像信号又は前記画像信号を圧縮処理した信号を記録媒体に記録する記録制御手段と、
前記画像信号から文字情報を抽出してテキスト文字列に変換する変換手段と、
該テキスト文字列からＵＲＬアドレスを認識する認識手段と、
該ＵＲＬアドレスを格納する格納手段と、
を具備したことを特徴とする電子カメラ。
【請求項７】
撮像手段から取り込まれた画像を表示手段にビューファインダとしてスルー表示するスルー表示モードと、撮像した画像を記憶手段に記憶した後再生して前記表示装置に表示させる再生表示モードとを備えた電子カメラにおいて、
スルー表示モードの時には前記撮像手段から取り込まれた画像に名刺に代表される特定の印刷物の縦横比率に対応した大きさの枠イメージを重ね合わせて表示させ、再生表示モードの時には前記枠イメージを表示させない表示制御手段を具備したことを特徴とする電子カメラ。
【請求項８】
被写体の像を電気的な画像信号に変換して周期的に出力する画像出力手段と、
前記画像信号を表示する表示手段と、
内部発生または外部発生のシャッターキー操作信号に応答して前記画像信号又は前記画像信号を圧縮処理した信号を記録媒体に記録する第1記録制御手段と、
前記被写体が文字情報を含む特定の印刷物であるか否かを示す識別情報を、自動的または所定の操作により該印刷物の画像信号に関連付けて前記記録媒体に記録する第２記録制御手段と、
を備えたことを特徴とする電子カメラ。
【請求項９】
被写体の像を電気的な画像信号に変換して周期的に出力する画像出力手段と、
前記画像信号を表示する表示手段と、
内部発生または外部発生のシャッターキー操作信号に応答して前記画像信号又は前記画像信号を圧縮処理した信号を記録媒体に記録する第1記録制御手段と、
前記被写体が文字情報を含む特定の印刷物であるか否かを示す識別情報を該印刷物の画像信号に関連付けて前記記録媒体に記録する第２記録制御手段と、
前記記録媒体に記録された識別情報を参照し特定の印刷物に係る記録内容と特定の印刷物以外の記録内容とを選別して外部に出力する外部出力手段と、
を備えたことを特徴とする電子カメラ。
【請求項１０】
請求項９記載の電子カメラにおいて、
前記表示手段に表示中の画像信号に重畳させて名刺に代表される特定の印刷物の縦横比率に対応した大きさの枠イメージを表示することを特徴とする電子カメラ。
【請求項１１】
請求項９記載の電子カメラにおいて、
前記外部出力手段は、有線、無線、光又は可搬型の記憶デバイスを媒体にして情報出力を行うことを特徴とする電子カメラ。
【請求項１２】
撮像手段により画像を撮影し、スルー画像を表示手段に表示するとともに、内部発生または外部発生のシャッターキー操作信号に応答して画像をメモリに保存する電子カメラの制御方法において、
名刺に代表される特定の印刷物の枠イメージを生成し、
撮像画像に該枠イメージを重ね合わせて表示させるとともに、
内部発生または外部発生のシャッターキー操作信号に応答して画像をメモリに保存する際には、撮像画像のみを保存し前記枠イメージは保存しないようにしたことを特徴とする電子カメラの制御方法。
【請求項１３】
撮像手段により画像を撮影し、スルー画像を表示手段に表示するとともに、内部発生または外部発生のシャッターキー操作信号に応答して画像をメモリに保存する電子カメラの制御方法において、
撮像フレームを決定するための枠イメージを生成し、
撮像画像に該枠イメージを重ね合わせて表示させるとともに、
前記メモリに保存した画像から文字を認識し、
所定の項目を抽出して前記メモリに保存することを特徴とする電子カメラの制御方法。
【請求項１４】
スルー画像表示中に所定のキーを操作することによって通常記録モードと名刺記録モードとの選択画面を表示するようにし、
前記名刺記録モードを選択した場合には、画面上に名刺の縦横比率に対応した大きさの枠イメージを表示し、
次いで、内部発生または外部発生のシャッターキー操作信号に応答して同操作信号の発生時点のスルー画像と同等の画像信号を画像処理手段によって圧縮処理した後、メモリにキャプチャすることを特徴とする電子カメラの制御方法。
【請求項１５】
請求項１４記載の電子カメラの制御方法において、
前記名刺記録モードで撮像したときは、名刺フラグとともに撮像画像をメモリに記録することを特徴とする電子カメラの制御方法。
【請求項１６】
請求項１４記載の電子カメラの制御方法において、
前記画像処理手段は、多値処理モードと２値処理モードとを有し、
前記通常記録モードでは多値処理を行い、前記名刺記録モードでは２値処理を行うことを特徴とする電子カメラの制御方法。
【請求項１７】
Ｅメールアドレス若しくはインターネットアドレスが記載されている印刷物を撮影すると、該撮影画像を文字認識してＥメールアドレス若しくはインターネットアドレスに対応する文字を抽出し、当該抽出文字を記録することを特徴とする電子カメラの制御方法。
【請求項１８】
請求項１７記載の電子カメラの制御方法において、
撮像時に、前記Ｅメールアドレス若しくはインターネットアドレスが記載されている印刷物のサイズに対応する枠イメージを表示することを特徴とする電子カメラの制御方法。
【請求項１９】
電子カメラでインターネットアドレスが記載されている印刷物を撮影すると、前記電子カメラは該撮影画像を文字認識して前記インターネットアドレスに対応する文字を抽出し、且つ、前記電子カメラをインターネットへの接続環境を有する外部機器に接続した際に、前記インターネットアドレスに対応する文字を含む情報を前記外部機器に転送して、前記外部機器から前記インターネットアドレスに自動的にリンクさせることを特徴とする電子カメラの制御方法。
【請求項２０】
撮像手段から取り込まれた画像を表示手段にビューファインダとしてスルー表示するスルー表示モードと、撮像した画像を記憶手段に記憶した後再生して前記表示装置に表示させる再生表示モードとを備えた電子カメラにおいて、
前記スルー表示モードは更に通常記録モードと名刺記録モードを備え且つ前記表示手段に通常記録モードと名刺記録モードを選択するための選択メニューを表示する選択メニュー表示手段と、
前記選択メニュー表示手段により通常記録モードが選択されたときに撮影した画像に通常の画像キャプチャ処理を含む第１の画像処理を行う第１の画像処理手段と、
前記選択メニュー表示手段により名刺記録モードが選択されたときに撮影した画像に文字情報の抽出処理を含む第２の画像処理を行う第２の画像処理手段と、
を具備したことを特徴とする電子カメラ。
【請求項２１】
前記第２の画像処理手段は枠イメージを前記表示手段に表示させる手段を含むことを特徴とする請求項２０記載の電子カメラ。
【手続補正２】
【補正対象書類名】明細書
【補正対象項目名】０００６
【補正方法】変更
【補正の内容】
【０００６】
【課題を解決するための手段】
請求項１記載の発明は、被写体の像を電気的な画像信号に変換して周期的に出力する画像出力手段と、前記画像信号を表示する表示手段と、内部発生または外部発生のシャッターキー操作信号に応答して前記画像信号又は前記画像信号を圧縮処理した信号を記録媒体に記録する記録制御手段と、前記画像信号から文字情報を抽出してテキスト文字列に変換する変換手段と、該テキスト文字列から所定の項目を認識する認識手段と、該テキスト文字列を前記認識手段により認識された当該文字情報の項目毎に分類して格納する格納手段と、を備え、前記表示手段に表示中の画像信号に重畳させて名刺に代表される特定の印刷物の縦横比率に対応した大きさの枠イメージを表示することを特徴とする。
請求項２記載の発明は、請求項１記載の電子カメラにおいて、内部発生または外部発生のシャッターキー操作信号に応答して、前記枠イメージを消去する消去手段を具備することを特徴とする。
請求項３記載の発明は、請求項１記載の電子カメラにおいて、前記格納手段に格納された情報を外部に出力する外部出力手段を備えたことを特徴とする。
請求項４記載の発明は、請求項３記載の電子カメラにおいて、前記外部出力手段は、有線、無線、光又は可搬型の記憶デバイスを媒体にして情報出力を行うことを特徴とする。
請求項５記載の発明は、請求項１記載の電子カメラにおいて、前記格納手段は、認識された当該文字列の情報と項目とを対応付けて格納することを特徴とする。
請求項６記載の発明は、被写体の像を電気的な画像信号に変換して周期的に出力する画像出力手段と、前記画像信号を表示する表示手段と、内部発生または外部発生のシャッターキー操作信号に応答して前記画像信号又は前記画像信号を圧縮処理した信号を記録媒体に記録する記録制御手段と、前記画像信号から文字情報を抽出してテキスト文字列に変換する変換手段と、該テキスト文字列からＵＲＬアドレスを認識する認識手段と、該ＵＲＬアドレスを格納する格納手段と、を具備したことを特徴とする。
請求項７記載の発明は、撮像手段から取り込まれた画像を表示手段にビューファインダとしてスルー表示するスルー表示モードと、撮像した画像を記憶手段に記憶した後再生して前記表示装置に表示させる再生表示モードとを備えた電子カメラにおいて、スルー表示モードの時には前記撮像手段から取り込まれた画像に名刺に代表される特定の印刷物の縦横比率に対応した大きさの枠イメージを重ね合わせて表示させ、再生表示モードの時には前記枠イメージを表示させない表示制御手段を具備したことを特徴とする。
請求項８記載の発明は、被写体の像を電気的な画像信号に変換して周期的に出力する画像出力手段と、前記画像信号を表示する表示手段と、内部発生または外部発生のシャッターキー操作信号に応答して前記画像信号又は前記画像信号を圧縮処理した信号を記録媒体に記録する第1記録制御手段と、前記被写体が文字情報を含む特定の印刷物であるか否かを示す識別情報を該印刷物の画像信号に関連付けて前記記録媒体に記録する第２記録制御手段と、を備えたことを特徴とする。
請求項９記載の発明は、被写体の像を電気的な画像信号に変換して周期的に出力する画像出力手段と、前記画像信号を表示する表示手段と、内部発生または外部発生のシャッターキー操作信号に応答して前記画像信号又は前記画像信号を圧縮処理した信号を記録媒体に記録する第1記録制御手段と、前記被写体が文字情報を含む特定の印刷物であるか否かを示す識別情報を該印刷物の画像信号に関連付けて前記記録媒体に記録する第２記録制御手段と、前記記録媒体に記録された識別情報を参照し特定の印刷物に係る記録内容と特定の印刷物以外の記録内容とを選別して外部に出力する外部出力手段と、を備えたことを特徴とする。
請求項１０記載の発明は、請求項９記載の電子カメラにおいて、前記表示手段に表示中の画像信号に重畳させて名刺に代表される特定の印刷物の縦横比率に対応した大きさの枠イメージを表示することを特徴とする。
請求項１１記載の発明は、請求項９記載の電子カメラにおいて、前記外部出力手段は、有線、無線、光又は可搬型の記憶デバイスを媒体にして情報出力を行うことを特徴とする。
請求項１２記載の発明は、撮像手段により画像を撮影し、スルー画像を表示手段に表示するとともに、内部発生または外部発生のシャッターキー操作信号に応答して画像をメモリに保存する電子カメラの制御方法において、名刺に代表される特定の印刷物の枠イメージを生成し、撮像画像に該枠イメージを重ね合わせて表示させるとともに、内部発生または外部発生のシャッターキー操作信号に応答して画像をメモリに保存する際には、撮像画像のみを保存し前記枠イメージは保存しないようにしたことを特徴とする。
請求項１３記載の発明は、撮像手段により画像を撮影し、スルー画像を表示手段に表示するとともに、内部発生または外部発生のシャッターキー操作信号に応答して画像をメモリに保存する電子カメラの制御方法において、撮像フレームを決定するための枠イメージを生成し、撮像画像に該枠イメージを重ね合わせて表示させるとともに、前記メモリに保存した画像から文字を認識し、所定の項目を抽出して前記メモリに保存することを特徴とする。
請求項１４記載の発明は、スルー画像表示中に所定のキーを操作することによって通常記録モードと名刺記録モードとの選択画面を表示するようにし、前記名刺記録モードを選択した場合には、画面上に名刺の縦横比率に対応した大きさの枠イメージを表示し、次いで、内部発生または外部発生のシャッターキー操作信号に応答して同操作信号の発生時点のスルー画像と同等の画像信号を画像処理手段によって圧縮処理した後、メモリにキャプチャすることを特徴とする。
請求項１５記載の発明は、請求項１４記載の電子カメラの制御方法において、前記名刺記録モードで撮像したときは、名刺フラグとともに撮像画像をメモリに記録することを特徴とする。
請求項１６記載の発明は、請求項１４記載の電子カメラの制御方法において、前記画像処理手段は、多値処理モードと２値処理モードとを有し、前記通常記録モードでは多値処理を行い、前記名刺記録モードでは２値処理を行うことを特徴とする。
請求項１７記載の発明は、Ｅメールアドレス若しくはインターネットアドレスが記載されている印刷物を撮影すると、該撮影画像を文字認識してＥメールアドレス若しくはインターネットアドレスに対応する文字を抽出し、当該抽出文字を記録することを特徴とする。
請求項１８記載の発明は、請求項１７記載の電子カメラの制御方法において、撮像時に、前記Ｅメールアドレス若しくはインターネットアドレスが記載されている印刷物のサイズに対応する枠イメージを表示することを特徴とする。
請求項１９記載の発明は、電子カメラでインターネットアドレスが記載されている印刷物を撮影すると、前記電子カメラは該撮影画像を文字認識して前記インターネットアドレスに対応する文字を抽出し、且つ、前記電子カメラをインターネットへの接続環境を有する外部機器に接続した際に、前記インターネットアドレスに対応する文字を含む情報を前記外部機器に転送して、前記外部機器から前記インターネットアドレスに自動的にリンクさせることを特徴とする。
請求項２０記載の発明は、撮像手段から取り込まれた画像を表示手段にビューファインダとしてスルー表示するスルー表示モードと、撮像した画像を記憶手段に記憶した後再生して前記表示装置に表示させる再生表示モードとを備えた電子カメラにおいて、前記スルー表示モードは更に通常記録モードと名刺記録モードを備え且つ前記表示手段に通常記録モードと名刺記録モードを選択するための選択メニューを表示する選択メニュー表示手段と、前記選択メニュー表示手段により通常記録モードが選択されたときに撮影した画像に通常の画像キャプチャ処理を含む第１の画像処理を行う第１の画像処理手段と、前記選択メニュー表示手段により名刺記録モードが選択されたときに撮影した画像に文字情報の抽出処理を含む第２の画像処理を行う第２の画像処理手段と、を具備したことを特徴とする。
請求項２１記載の発明は、請求項２０記載の電子カメラにおいて、前記第２の画像処理手段は枠イメージを前記表示手段に表示させる手段を含むことを特徴とする。
【手続補正３】
【補正対象書類名】明細書
【補正対象項目名】００４０
【補正方法】変更
【補正の内容】
【００４０】
なお、図１２の電子カメラ９０または図１３の電子カメラ１０１を外部機器（例えば、図１２のパソコンなど）に接続し、電子カメラ９０または電子カメラ１０１から同外部機器に情報を出力する際に、その情報にＵＲＬ（インターネットアドレス）が含まれていた場合、自動的にそのＵＲＬにリンクするような仕組み（例えば、プラウザを自動的に立ち上げる）を同外部機器側に設けておくと好ましい。もちろん、同外部機器はインターネットに接続できる環境が整っているものとする。このようにすると、電子カメラ９０または電子カメラ１０１から同外部機器にＵＲＬを含む情報を転送することにより、同外部機器側で自動的にそのＵＲＬのホームページを読み込んで表示するので、手間を軽減して操作性を向上できる。
【発明の効果】
請求項１記載の発明によれば、被写体の像を電気的な画像信号に変換して周期的に出力する画像出力手段と、前記画像信号を表示する表示手段と、内部発生または外部発生のシャッターキー操作信号に応答して前記画像信号又は前記画像信号を圧縮処理した信号を記録媒体に記録する記録制御手段と、前記画像信号から文字情報を抽出してテキスト文字列に変換する変換手段と、該テキスト文字列から所定の項目を認識する認識手段と、該テキスト文字列を前記認識手段により認識された当該文字情報の項目毎に分類して格納する格納手段と、を備えたので、画像信号中の文字情報をテキスト文字列に変換して保持することができ、例えば、電子カメラ単体で名刺データの管理を行うことができる。
さらに、前記表示手段に表示中の画像信号に重畳させて名刺に代表される特定の印刷物の縦横比率に対応した大きさの枠イメージを表示するので、枠イメージを構図調整ガイドとして用いることができ、例えば、名刺撮影時の傾きを容易に修正してテキスト文字変換の精度向上を図ることができる。
請求項２記載の発明によれば、請求項１記載の電子カメラにおいて、内部発生または外部発生のシャッターキー操作信号に応答して、前記枠イメージを消去する消去手段を備えたので、名刺撮影を行わない場合に不要な枠イメージを表示することがない。
請求項３記載の発明によれば、請求項１記載の電子カメラにおいて、前記格納手段に格納された情報を外部に出力する外部出力手段を備えたので、例えば、名刺データを外部のパソコンに出力して利用することができる。
請求項４記載の発明によれば、請求項３記載の電子カメラにおいて、前記外部出力手段は、有線、無線、光又は可搬型の記憶デバイスを媒体にして情報出力を行うので、近距離はもちろんのこと遠く離れた場所にもデータを自由に転送でき、名刺管理システムの発展性及び拡張性を図ることができる。
請求項５記載の発明によれば、請求項１記載の電子カメラにおいて、前記格納手段は、認識された当該文字列の情報と項目とを対応付けて格納するので、格納した文字列情報の管理が容易になり、情報を利用し易くすることができる。
請求項６記載の発明によれば、請求項１記載の電子カメラにおいて、前記所定の項目はＵＲＬアドレスであるので、インターネット上のホームページのアドレス管理を行うことができる。
請求項７記載の発明によれば、撮像手段から取り込まれた画像を表示手段にビューファインダとしてスルー表示するスルー表示モードと、撮像した画像を記憶手段に記憶した後再生して前記表示装置に表示させる再生表示モードとを備えた電子カメラにおいて、スルー表示モードの時には前記撮像手段から取り込まれた画像に名刺に代表される特定の印刷物の縦横比率に対応した大きさの枠イメージを重ね合わせて表示させ、再生表示モードの時には前記枠イメージを表示させない表示制御手段を具備するので、枠イメージを構図調整ガイドとして用いることができ、例えば、名刺撮影時の傾きを容易に修正してテキスト文字変換の精度向上を図ることができる一方、名刺撮影を行わない場合に不要な枠イメージを表示することがない。
請求項８記載の発明によれば、被写体の像を電気的な画像信号に変換して周期的に出力する画像出力手段と、前記画像信号を表示する表示手段と、内部発生または外部発生のシャッターキー操作信号に応答して前記画像信号又は前記画像信号を圧縮処理した信号を記録媒体に記録する第1記録制御手段と、前記被写体が文字情報を含む特定の印刷物であるか否かを示す識別情報を、自動的または所定の操作により該印刷物の画像信号に関連付けて前記記録媒体に記録する第２記録制御手段と、を備えたので、識別情報を調べるだけで文字情報を含む特定の印刷物の画像信号を取り出すことができ、例えば、文字情報抽出などの画像処理を容易に行うことができる。
請求項９記載の発明によれば、被写体の像を電気的な画像信号に変換して周期的に出力する画像出力手段と、前記画像信号を表示する表示手段と、内部発生または外部発生のシャッターキー操作信号に応答して前記画像信号又は前記画像信号を圧縮処理した信号を記録媒体に記録する第1記録制御手段と、前記被写体が文字情報を含む特定の印刷物であるか否かを示す識別情報を該印刷物の画像信号に関連付けて前記記録媒体に記録する第２記録制御手段と、前記記録媒体に記録された識別情報を参照し特定の印刷物に係る記録内容と特定の印刷物以外の記録内容とを選別して外部に出力する外部出力手段と、を備えたので、特定の印刷物、例えば、名刺の画像データと通常の撮影データとを区別して管理することができる。
請求項１０記載の発明によれば、請求項９記載の電子カメラにおいて、前記表示手段に表示中の画像信号に重畳させて名刺に代表される特定の印刷物の縦横比率に対応した大きさの枠イメージを表示するので、枠イメージを構図調整ガイドとして用いることができ、例えば、名刺撮影時の傾きを容易に修正してテキスト文字変換の精度向上を図ることができる。
請求項１１記載の発明によれば、請求項９記載の電子カメラにおいて、前記外部出力手段は、有線、無線、光又は可搬型の記憶デバイスを媒体にして情報出力を行うので、近距離はもちろんのこと遠く離れた場所にもデータを自由に転送でき、名刺管理システムの発展性及び拡張性を図ることができる。
請求項１２記載の発明によれば、撮像手段により画像を撮影し、スルー画像を表示手段に表示するとともに、内部発生または外部発生のシャッターキー操作信号に応答して画像をメモリに保存する電子カメラの制御方法において、名刺に代表される特定の印刷物の枠イメージを生成し、撮像画像に該枠イメージを重ね合わせて表示させるとともに、内部発生または外部発生のシャッターキー操作信号に応答して画像をメモリに保存する際には、撮像画像のみを保存し前記枠イメージは保存しないようにしたので、枠イメージを用いて撮影時の構図調整等の便宜を図ることができるとともに、保存された撮影画像に枠イメージが残らないので被写体に対応した画像イメージのみを保存することができる。
請求項１３記載の発明によれば、撮像手段により画像を撮影し、スルー画像を表示手段に表示するとともに、内部発生または外部発生のシャッターキー操作信号に応答して画像をメモリに保存する電子カメラの制御方法において、撮像フレームを決定するための枠イメージを生成し、撮像画像に該枠イメージを重ね合わせて表示させるとともに、前記メモリに保存した画像から文字を認識し、所定の項目を抽出して前記メモリに保存するので、被写体に含まれる文字情報を項目毎に管理することができる。
請求項１４記載の発明によれば、スルー画像表示中に所定のキーを操作することによって通常記録モードと名刺記録モードとの選択画面を表示するようにし、前記名刺記録モードを選択した場合には、画面上に名刺の縦横比率に対応した大きさの枠イメージを表示し、次いで、内部発生または外部発生のシャッターキー操作信号に応答して同操作信号の発生時点のスルー画像と同等の画像信号を画像処理手段によって圧縮処理した後、メモリにキャプチャするので、枠イメージをガイドにして、名刺の傾きを修正しつつ撮影することができる。
請求項１５記載の発明によれば、請求項１４記載の電子カメラの制御方法において、前記名刺記録モードで撮像したときは、名刺フラグとともに撮像画像をメモリに記録するので、沢山の撮影画像の中から名刺の画像を容易に取り出すことができる。
請求項１６記載の発明によれば、請求項１４記載の電子カメラの制御方法において、前記画像処理手段は、多値処理モードと２値処理モードとを有し、前記通常記録モードでは多値処理を行い、前記名刺記録モードでは２値処理を行うので、名刺記録モードのときに文字認識に適したモノクロ画像（２値画像）を得ることができる。
請求項１７記載の発明によれば、Ｅメールアドレス若しくはインターネットアドレスが記載されている印刷物を撮影すると、該撮影画像を文字認識してＥメールアドレス若しくはインターネットアドレスに対応する文字を抽出し、当該抽出文字を記録するので、特にＥメールアドレスやインターネットアドレスが印刷された名刺等の管理に好適なものとすることができる。
請求項１８記載の発明によれば、請求項１７記載の電子カメラの制御方法において、撮像時に、前記Ｅメールアドレス若しくはインターネットアドレスが記載されている印刷物のサイズに対応する枠イメージを表示するので、印刷物の傾きを修正しつつ撮影することができる。
請求項１９記載の発明によれば、電子カメラでインターネットアドレスが記載されている印刷物を撮影すると、前記電子カメラは該撮影画像を文字認識して前記インターネットアドレスに対応する文字を抽出し、且つ、前記電子カメラをインターネットへの接続環境を有する外部機器に接続した際に、前記インターネットアドレスに対応する文字を含む情報を前記外部機器に転送して、前記外部機器から前記インターネットアドレスに自動的にリンクさせるので、手間を軽減して操作性を向上できる。
請求項２０記載の発明によれば、撮像手段から取り込まれた画像を表示手段にビューファインダとしてスルー表示するスルー表示モードと、撮像した画像を記憶手段に記憶した後再生して前記表示装置に表示させる再生表示モードとを備えた電子カメラにおいて、前記スルー表示モードは更に通常記録モードと名刺記録モードを備え且つ前記表示手段に通常記録モードと名刺記録モードを選択するための選択メニューを表示する選択メニュー表示手段と、前記選択メニュー表示手段により通常記録モードが選択されたときに撮影した画像に通常の画像キャプチャ処理を含む第１の画像処理を行う第１の画像処理手段と、前記選択メニュー表示手段により名刺記録モードが選択されたときに撮影した画像に文字情報の抽出処理を含む第２の画像処理を行う第２の画像処理手段と、を具備するので、通常の画像キャプチャと、名刺画像からの文字抽出とを選択メニューによって簡単に切り換えることができる。
請求項２１記載の発明によれば、請求項２０記載の電子カメラにおいて、前記第２の画像処理手段は枠イメージを前記表示手段に表示させる手段を含むので、名刺画像からの文字抽出の際に、枠イメージを構図調整ガイドとして用いることができ、画像の傾きを容易に修正して文字抽出の精度向上を図ることができる。